(57)【特許請求の範囲】
【請求項１】
躯体を貫通する配線用スリーブの貫通路を区画して複数の区画孔を形成し、各区画孔をケーブルを挿通させる切り込みが穿たれたゴム板により塞ぎ、一部の区画孔にケーブルを挿通させたのち、前記ケーブルを貫通させた区画孔を充填剤及び耐火材により密封し、残余の区画孔には内部に発泡性の充填剤を封入して膨張する容器からなるブロックを着脱可能に挿入して密封し、
追加工事に際して前記ブロックを取り出して前記ゴム板を露出させ、ケーブルを前記切り込みに挿通した後に充填剤及び耐火材により密封することにより穴仕舞可能とすることを特徴とする密封穴仕舞方法。
【請求項２】
躯体を貫通する配線用スリーブの貫通路に仕切り板を挿入して複数の区画孔を形成し、ケーブル挿通用の切り込みが形成され前記区画孔を塞いで充填材を保持するゴム板を固定する金具を前記仕切り板に保持させ、前記ゴム板を前記金具に固定したのち、
前記切り込みにケーブルを挿通させ、前記ケーブルを挿通させた区画孔を充填材で密封し、残余の区画孔に着脱可能とされ、内部に発泡性の充填材を封入して膨張するブロックを挿入して密封し、
追加工事に際して前記ブロックを取り出して前記ゴム板を露出させ、ケーブルを前記切り込みに挿通した後に充填剤及び耐火材により密封することにより穴仕舞可能とすることを特徴とする密封穴仕舞方法。
【請求項３】
前記配線用スリーブの上端の開口部は床面より高い位置に配設されることを特徴とする請求項１または２に記載の密封穴仕舞方法。
【請求項４】
躯体を貫通する配線用スリーブの貫通路を分割して複数の区画孔を形成する仕切り板と、
前記区画孔を塞いで充填材を保持し、ケーブルを挿通する切り込みが穿たれたゴム板と、
前記仕切り板に保持され、前記ゴム板を固定する金具と、
前記区画孔に挿入され、内部に発泡性の充填材を封入して膨張し、前記区画孔を密封するとともに、追加工事に際して前記区画穴から着脱可能なブロックと、
を備えることを特徴とする密封穴仕舞治具。
【請求項５】
前記配線用スリーブの上端の開口部は床面より高い位置に配設されることを特徴とする請求項４記載の密封穴仕舞治具。
【請求項６】
前記区画孔を塞ぐ充填材は、発泡性の充填材であることを特徴とする請求項４または５に記載の密封穴仕舞治具。
【発明の詳細な説明】
【技術分野】
【０００１】
本発明は、壁や床を貫通しケーブル類が配線された配線用スリーブの密封穴仕舞に関する。
【背景技術】
【０００２】
ビルや工場等には、大量の電線・ケーブルが配線されている。これらは、壁や床の配線用スリーブを通じて隣接する部屋あるいは階に配線されるので、一旦、火災が生じたときには、これらが壁や床の配線用スリーブを通じて隣接する部屋や階に延焼し、被害を拡大させる恐れがある。そこで、火災による延焼を最小限に食い止めるために、電線・ケーブルの高難燃化が図られる一方で、壁・床の配線用スリーブに対してもケーブル挿通後に耐火充填材を用いて密封穴仕舞する工法が用いられている。従来工法に係る密封穴仕舞治具は図１５に示すように吊り金具５０および充填材受金具５２により構成される。吊り金具５０は充填材受金具５２を保持するコの字型の金具であり、吊り金具５０の上端部を矩形の配線用スリーブ５４の開口部内壁に溶接する、または開口部に穴があけられている場合はそれを利用してボルト止めすることにより、配線用スリーブ５４内側の面とそれに相対する面に固定されている。充填材受金具５２は吊り金具５０に保持され、ケーブルを貫通孔の一の内壁に固定するとともに、充填材を受ける一定の幅を有する金具であり、２つの吊り金具５０の間を渡るようにその両端を吊り金具５０に引掛けて配設されている。また充填材受金具５２は貫通孔を塞ぐため複数配設されている。上記構成のもと密封穴仕舞は図１６に示されるように、複数のケーブル５６に充填材受金具５２を押し付け、貫通孔の一の内壁側面に一列に並ばせ固定され、一列では足りない場合には最初の充填材受金具５２と次の充填材受金具５２との間に一列に並ばせ、さらに他の充填材受金具５２を配設して貫通孔を塞いだのち、充填材を充填することにより行われ、これにより気密・防火の要求を確保してきた。
【特許文献１】特開２００２−１８００５４号公報
【発明の開示】
【発明が解決しようとする課題】
【０００３】
しかし、上記方法ではケーブルを布設する部分は貫通孔の一部に過ぎないにもかかわらず、貫通孔の開口部から充填材受金具５２までの領域を全て充填材で充填しなければならない。また、ケーブルの直径はケーブルごとにばらつきがあるため、直径の小さいケーブルと充填材受金具５２との間に隙間ができる。そして、ケーブルの物量及びケーブル布設状況はケースごとに異なるため、一列に固定された複数のケーブルが貫通孔の一の内壁側面をちょうど覆う状態あれば問題ないが、そうでない場合には貫通孔と充填材受金具５２との間に、また２つの充填材受金具５２との間にケーブルがある場合にはその２つの充填材受金具５２との間にも隙間が形成されるため、この隙間を埋めるための新たな受け金具を必要とするだけでなく、上記隙間を放置したまま充填材を充填すれば、充填材が落下して気密性・防火性を損なう危険性がある。さらに追加工事において充填材の再充填施工を行うと、充填材を撤去しづらい等の作業の困難性から気密性の劣化が生じやすいだけでなく、充填材を取り除く時にケーブル等を損傷するおそれもある。
【０００４】
上記問題を解決するため特許文献１においてはケーブルの外径よりも大きい穴が開けられたケイ酸カルシウムの板により貫通孔を遮蔽し、ケーブルを前記穴に挿通したのち、延焼防止用耐火封止材でケーブルと前記穴との隙間を充填封止する方法が開示されている。しかし、特許文献１の発明においては貫通孔を全て充填材で充填する問題が解決されているのみであって、充填材が落下を充分に防止する構成ではなく、また追加工事の際に発生する上記問題については何ら言及していない。
【０００５】
本発明は上記問題を鑑みてなされたもので、配線用スリーブ内にケーブル等の布設物を布設し充填材を取り付けて密封穴仕舞を行ったのち、配線用スリーブの気密性、防火性を確保しつつケーブル等の追加作業を簡便に行うことが可能な密封穴仕舞方法および密封穴仕舞治具を提供することを目的とする。
【課題を解決するための手段】
【０００６】
上記目的の達成のため、本発明に係る配線用スリーブの密封穴仕舞方法は、躯体を貫通する配線用スリーブの貫通路を区画して複数の区画孔を形成し、各区画孔をケーブルを挿通させる切り込みが穿たれたゴム板により塞ぎ、一部の区画孔にケーブルを挿通させたのち、前記ケーブルを貫通させた区画孔を充填剤及び耐火材により密封し、残余の区画孔には内部に発泡性の充填剤を封入して膨張する容器からなるブロックを着脱可能に挿入して密封し、追加工事に際して前記ブロックを取り出して前記ゴム板を露出させ、ケーブルを前記切り込みに挿通した後に充填剤及び耐火材により密封することにより穴仕舞可能とすることを特徴としている。
【０００７】
また本発明は、躯体を貫通する配線用スリーブの貫通路に仕切り板を挿入して複数の区画孔を形成し、ケーブル挿通用の切り込みが形成され前記区画孔を塞いで充填材を保持するゴム板を固定する金具を前記仕切り板に保持させ、前記ゴム板を前記金具に固定したのち、前記切り込みにケーブルを挿通させ、前記ケーブルを挿通させた区画孔を充填材で密封し、残余の区画孔に着脱可能とされ、内部に発泡性の充填材を封入して膨張するブロックを挿入して密封し、追加工事に際して前記ブロックを取り出して前記ゴム板を露出させ、ケーブルを前記切り込みに挿通した後に充填剤及び耐火材により密封することにより穴仕舞可能とすることを特徴としている。そして、本発明において、前記配線用スリーブの上端の開口部は床面より高い位置に配設されることを特徴としている。
【０００８】
一方、本発明に係る配線用スリーブの密封穴仕舞治具は、躯体を貫通する配線用スリーブの貫通路を分割して複数の区画孔を形成する仕切り板と、前記区画孔を塞いで充填材を保持し、ケーブルを挿通する切り込みが穿たれたゴム板と、前記仕切り板に保持され、前記ゴム板を固定する金具と、前記区画孔に挿入され、内部に発泡性の充填材を封入して膨張し、前記区画孔を密封するとともに、追加工事に際して前記区画穴から着脱可能なブロックと、を備えることを特徴としている。
【０００９】
そして、本発明において、前記配線用スリーブの上端の開口部は床面より高い位置に配設されることを特徴としている。さらに、前記区画孔を塞ぐ充填材は、発泡性の充填材であることを特徴としている。
【発明の効果】
【００１６】
上述のように構成された配線用スリーブの密封穴仕舞方法および密封穴仕舞治具によれば、仕切り板、ゴム板、ブロック等の密封穴仕舞治具のパーツをケーブルの物量、および布設状況にあわせて区画孔の数を決め、モジュール的に組み込むことができる。そして、各区画孔にケーブルを挿通する切り込みが形成されたゴム板で塞ぐことにより、ケーブルを挿通しつつ、充填材の落下を防止するとともに、気密性の向上を図ることができる。
【００１７】
また、ケーブルを挿通した区画孔を充填材で密封し、残余の区画孔を着脱可能なブロックで密封することにより、全ての区画孔を充填材で密封する手間を省くことができる。そして、追加工事の際には充填材を撤去して再充填する作業を行う必要がないので、ケーブルが挿通され充填材が充填された区画孔の気密性を確保することができるのみならず、撤去作業でのケーブル（シース）損傷を防止できる。また、再充填作業はブロックを外し、ブロックが外された区画孔にケーブルを通したのち、ケーブルが挿通された区画孔を充填材で密封するので、充填材撤去作業の手間を低減でき、大きなコストダウンを図ることができる。
【００１８】
さらに、ブロックは可撓性があり内部に充填材を封入できる容器であるため、ブロックは充填材により膨張し区画孔と当接することで、区画孔の気密性を向上させることができる。
【００１９】
また配線用スリーブの上端の開口部の高さを床面より高くすることにより、床面に水が漏洩した場合でも、前記開口部から水が侵入することを防ぐことができる。さらにケーブルが挿通された区画孔を発泡性の充填材で充填することにより、区画孔の防水性が確保され、万が一、前記開口部から水が侵入しても下の階にある機器等を水で濡らすことがないようにすることができる。
【発明を実施するための最良の形態】
【００２０】
本発明に係る床や壁を貫通するスリーブ内の布設物の密封穴仕舞方法および密封穴仕舞治具の最良の実施形態について図面を用いて説明する。
本実施形態にかかる密封穴仕舞治具は、図１乃至４に示すように、配線用スリーブ１０、仕切り板１２、仕切り板サポート用鋼管１４、格子状充填材受金具１６、副仕切り板１８、ゴム板２０、固形充填材２４、計量カップ２８、耐火材３０から構成される。
【００２１】
図１に示されるように、配線用スリーブ１０は建築物等の躯体の床を貫通し、ケーブル等の布設物を挿通させるダクトであり、矩形の断面を持つ貫通孔１０ａを有し、上端が開口した開口部１０ｂを有しており、開口部１０ｂの高さが床面１１と同じ高さになるように配設されている。
【００２２】
仕切り板１２は貫通孔１０ａの開口部１０ｂから挿入して、貫通孔１０ａを貫通孔１０ａの短片と平行に分割する矩形の板である。本実施形態では仕切り板１２は５枚用いられる。仕切り板１２の両側面には仕切り板１２と挿通方向において同じ長さを有する円筒形のポール１２ａが接続されており、その直径は仕切り板１２の厚みよりも若干大きくなるように設計されている。また仕切り板１２の上端からは切り込みスリット１２ｂが切り込まれている。本実施形態においては、切り込みスリット１２ｂは、後述の副仕切り板１８を切り込みスリット１２ｂに挿入して、副仕切り板１８が配線用スリーブ１０の短辺を３等分するように一つの仕切り板１２に対して２つ形成されている。切り込みスリット１２ｂにより仕切り板１２は、切り込みスリット１２ｂの終端部１２ｃより上の部分において、仕切り板中央部１２ｄと２つの仕切り板袖部１２ｅに分割される。切り込みスリット１２ｂの終端部１２ｃの深さは、後述の固形充填材２４、計量カップ２８、及び耐火材３０を挿入する深さ以上の寸法を有していれば、任意に設定できるが、全ての仕切り板１２において終端部１２ｃの深さを統一させておく必要がある。また切り込みスリット１２ｂの幅は後述の格子状充填材受金具１６の金枠接続部１６ｅ及び後述の副仕切り板１８が挿入できる幅を有している。
【００２３】
仕切り板サポート用鋼管１４は仕切り板１２を保持するものであり、仕切り板サポート用鋼管１４は中空の円筒形状を有し、その長さは仕切り板１２の挿通方向の長さと同じであり、下端は端部閉止プレート１４ａによって閉止されている。そして、仕切り板サポート用鋼管１４の配線用スリーブ１０の内側に向けて矩形の鋼管開口部１４ｂが上端から下端まで開口されており、その幅は仕切り板１２の厚みより若干広く、かつポール１２ａの直径より狭い幅に設計されている。本実施形態においては、仕切り板サポート用鋼管１４は貫通孔１０ａの矩形断面の長辺を６等分するように、５つの仕切り板サポート用鋼管１４を配線用スリーブ１０の開口部１０ｂから深さ方向に配設し、前記長辺の内壁の真向かいにも同様に配設し、総計１０本の仕切り板サポート用鋼管１４がその上端を開口部１０ｂと高さを合わせて、貫通孔１０ａの長辺の内壁に溶接等により固定されている。上記構成により仕切り板１２が鋼管開口部１４ｂと干渉することなくポール１２ａは仕切り板サポート用鋼管１４の上端から挿入し、ポール１２ａの下端が端部閉止プレート１４ａの上面と当接できる。
【００２４】
上述のことから、仕切り板１２の貫通孔１０ａの深さ方向の辺は、切り込みスリット１２ｂより長ければ、任意の寸法をとることができるが、これに垂直な他辺は貫通孔１０ａの内壁の短辺とほぼ同一であって、前記他辺を貫通孔１０ａの内壁の短辺と平行にして貫通孔１０ａに仕切り板サポート用鋼管１４を介して挿入できる寸法を有する必要がある。
【００２５】
図１に示すように、格子状充填材受金具１６は、仕切り板１２に保持される一方、後述のゴム板２０を保持する金具である。格子状充填材受金具１６は、貫通孔１０ａの矩形断面形状とほぼ同一であって、水平に保ちつつ貫通孔１０ａに挿入できる寸法を有する矩形の板である。そして格子状充填材受金具１６には一定の幅の枠を残して等分に分割するように矩形口１６ａが形成されている。本実施形態では長辺方向６つ、短辺方向に３つ並び、トータルで１８個の矩形口１６ａが形成されている。格子状充填材受金具１６を仕切り板１２の切り込みスリット１２ｂの終端部まで挿入させるために、格子状充填材受金具１６において仕切り板１２と干渉する部分においてさらに、切り込み１６ｂ、通し穴１６ｃ、面取り１６ｄが形成されている。切り込み１６ｂは仕切り板袖部１２ｄとの干渉を、通し穴１６ｃは仕切り板中央部１２ｃとの干渉を、面取り１６ｄは仕切り板サポート用鋼管１２ａとの干渉をそれぞれ回避するためのものであり、本実施形態において、切り込み１６ｂは１０箇所、通し穴１６ｃは５箇所、面取り１６ｄは１０箇所形成されている。
【００２６】
この構成により切り込み１６ｂと通し穴１６ｃとの間には金具接続部１６ｅが形成され（図２参照）、本実施形態は１０個形成されている。さらに格子状充填材受金具１６と貫通孔１０ａを垂直方向からみて互いの形状を整合させたときに、全ての金具接続部１６ｅは切り込みスリット１２ｂの真上に来ることになる。そして、実装時に金具接続部１６ｅは切り込みスリット１２ｂに挿入され、切り込みスリット１２ｂの終端部１２ｃと当接する。
【００２７】
図１に示すように、副仕切り板１８は、貫通孔１０ａの開口部１０ｂから挿入して、矩形の貫通孔１０ａを貫通孔１０ａの長辺と平行に分割する矩形の板であり、本実施形態においては２枚用いられる。副仕切り板１８の長辺は、貫通孔１０ａの内壁の長辺とほぼ同一であって、副仕切り板１８を貫通孔１０ａの内壁の長辺と平行にして挿入できる寸法を有する。一方、副仕切り板１８の短辺は、切り込みスリット１２ｂの終端部の深さと同一の寸法を有する。また副仕切り板１８の厚みは。切り込みスリット１２ｂの幅とほぼ同一であって、副仕切り板１８が切り込みスリット１２ｂに挿入できる寸法を有している。
【００２８】
図２に示すように、ゴム板２０はケーブル等の布設物を保持するとともに固形充填材２４、計量カップ２８、及び耐火材３０を下から支えて落下を防止するものである。ゴム板２０は格子状充填材受金具１６の上にビス止め等により固定されるものであり、よって矩形口１６ａよりも大きな寸法を持つ矩形形状であるが、実装後に仕切り板１２、副仕切り板１８、及び貫通孔１０ａと干渉しない寸法を有している。本実施形態において、ゴム板２０は全ての矩形口１６ａを塞ぐために１８枚用いられる。そして、ゴム板２０の布設用ケーブルを通す十字型のケーブル貫通用切り込み２０ａが複数穿たれている。ケーブル貫通用切り込み２０ａは実際に挿通するケーブルの断面寸法に応じてその切り込みの長さを変えることができ、またケーブル挿通により切り込みが広がるのを防止するため、ケーブル貫通用切り込み２０ａの切り込み線の延長線上には、切り込み止め２０ｂが切り込まれている。またケーブル貫通用切り込み２０ａの形状も十字型のような４回対称のものに限らず、６回対称、８回対称のもの等も用いることができる。
【００２９】
固形充填材２４は図４に示すように、防火・防音対策のため後述の区画孔２２の底部に充填して密封するものである。
【００３０】
図３及び図４に示すように、計量カップ２８は発泡性充填材２６を充填するものであり後述の区画孔２２に着脱可能で配設されるブロックであり、矩形升２８ａ、上蓋２８ｂ、流し込み充填材注入口２８ｃ、吊りピース２８ｄにより構成される。矩形升２８ａは外側表面に凹凸のない矩形の容器で、通常は後述の区画孔２２の断面とほぼ同じ大きさであり、区画孔２２に挿入できる寸法を有している。なお、矩形升２８ａの材料はゴムのように可撓性を有することが望ましく、この場合、矩形升２８ａは膨張性を有し、内部に発泡性充填材２６を入れ膨張させることにより区画孔２２と当接して、膨張性がないものと比べて区画孔２２を密封する効果が増大する。上蓋２８ｂは発泡性充填材２６が膨張して外部に漏れないように矩形升２８ａに蓋をする金属製の蓋であり、流し込み充填材注入口２８ｃが形成されている。充填材注入口２８ｃは発泡性充填材２６を注入するとともに、注入後は閉じることができるようになっている。吊りピース２８ｄは計量カップ２８に取り付けられたひもであり、後述の追加工事の際に計量カップ２８を取り出しやすくするためのものである。
【００３１】
耐火材３０は配線用スリーブ１０を通じて火災が延焼するのを防ぐものであり、後述の区画孔２２の最上層に充填する。
【００３２】
以上の構成のもと本実施形態にかかる密封穴仕舞治具を実装すると以下のようになる。まず、図１に示すように、切り込みスリット１２ｂを上にして、仕切り板１２の両端に配設されたポール１２ａの一端を一の溶接固定された仕切り板サポート用鋼管１４に、他端を前記仕切り板サポート用鋼管１４の貫通孔１０ａを介して真向かいにある他の仕切り板サポート用鋼管１４に其々挿入して、ポール１２ａの下端を端部閉止プレート１４ｂの上面と当接させることにより、仕切り板１２を仕切り板サポート用鋼管１４に配設し、残りの仕切り板１２についても同様に行う。次に上述のように全ての金具接続部１６ｅが切り込みスリット１２ｂの真上に来るように整合させて、格子状充填材受金具１６を仕切り板１２に介装する。このとき、金具接続部１６ｅは切り込みスリット１２ｂの終端部１２ｃにより保持される。よって、格子状充填材受金具１６は貫通孔１０ａの開口部１０ｂより終端部１２ｃの深さ分だけ低い位置で保持され、さらに終端部１２ｃの深さは全ての仕切り板１２において統一されているため、格子状充填材受金具１６は水平を保ったまま仕切り板１２に保持されることになる。次に副仕切り板１８の長辺を貫通孔１０ａの長辺と平行にあわせて真上から見て副仕切り板１８の長辺の両端部が貫通孔１０ａの短辺と重なるように配置し、副仕切り板１８の短辺を垂直にし、５つの仕切り板１２により貫通孔１０ａの長辺と平行に並ぶ５つの切り込みスリット１２ｂに対して真上からみて副仕切り板１８が真上に来るようにし、そのまま副仕切り板１８を真下におろしつつ副仕切り板１８を切り込みスリット１２ｂに挿入し、他の副仕切り板１８についても同様に行う。すると副仕切り板１８は格子状充填材受金具１６の上に載った形となる。
【００３３】
図４に示されるように、上記実装により貫通孔１０ａには仕切り板１２および副仕切り板１８により区画された区画孔２２が形成される。図５に示されるように、本実施形態において区画孔２２は矩形断面を有し、貫通孔１０ａの長辺方向を６等分し、短辺方向を３等分して貫通孔１０ａを１８等分したもののうちの一つであり、総計１８個ある。また区画孔２２の深さ方向の長さは副仕切り板１８の短辺方向の長さと同程度である。なお、仕切り板１２、格子状充填材受金具１６、副仕切り板１８は配線用スリーブ１０に上述のようにはめこんだだけであるから配線用スリーブ１０に対して着脱可能であり、本実施形態に係る密封穴仕舞治具を配線用スリーブ１０に配設した後においても、ケーブルの物量に応じてこれらの部品の設計を変えて区画孔２２の構成を変えることもできる。
【００３４】
さらに区画孔２２の底部は格子状充填材受金具１６であるが、これにゴム板２０をビス止めして区画孔２２の底部を封じる（図２参照）。これにより区画孔２２から固形充填材２４が落下することを防止する。なお、ゴム板２０にあるケーブル貫通用切り込み２０ａにより充填材等を充填する前であればケーブルの挿通を行うことができる。
【００３５】
以上の構成のもと、図４及び図５に示されるように、本実施形態にかかる密封穴仕舞を行う。
【００３６】
まず、ケーブル３１を通す区画孔２２を任意に選択する、もしくは図５に示すように区画孔２２に番号をつけ、番号順に区画孔２２を選択する。一の区画孔２２に対してケーブルが定量となったら次の区画孔２２を選択する。選択された区画孔２２の底部にあるケーブル貫通用切り込み２０ａにケーブルを挿通してケーブルを貫通孔１０ａの開口部１０ｂから外に引き出す。ケーブルが区画孔２２に存在する状態で固形充填材２４を充填する。ケーブルを挿通していない区画孔２２には計量カップ２８を挿入する。このとき計量カップの吊りピース２８ｄは計量カップ２８の上に置くようにしておく。計量カップ２８の流し込み充填材注入口２８ｃから発泡性充填材２６を充填し、流し込み充填材注入口２８ｃを封止した上で発泡性充填材２６を発泡させる。すると矩形升２８ａは区画孔２２の内壁と当接し、矩形升２８ａの全周において区画孔２２の内壁と当接することにより、区画孔２２の計量カップ２８より上の部分から前記区画孔２２下部への空気の流れは遮断される。これを残り全ての区画孔２２に対して行うことにより、配線用スリーブ１０の貫通孔１０ａ内部は配線用スリーブ１０の外部に対して気密が保たれることになる。
【００３７】
さらに固形充填材２４および計量カップ２８の上に耐火材３０を充填して、全ての区画孔２２が密封されることにより貫通孔１０ａが密封され密封穴仕舞は完了する。
【００３８】
次にケーブル配線の追加工事が発生した場合の密封穴仕舞について説明する。
すでにケーブル３１が通っているものを除いて、上述同様、追加工事においてケーブルを通す区画孔２２を選択する。選択した区画孔２２に充填されている耐火材３０を取り除く。そして吊りピース２８ｄを引張り計量カップ２８を区画孔２２から引き出す。すると区画孔２２の底面にはケーブル貫通用切り込み２０ａがあるゴム板２０が現れる。あとは上述同様、ケーブル貫通用切り込み２０ａにケーブルを挿通し、固形充填材２４を充填し、耐火材３０を充填ことにより追加工事は完了する。
【００３９】
本実施形態においては配線用スリーブ１０の断面が矩形の場合について述べたが、第２実施形態として配線用スリーブの断面が円形の場合についても述べる。
第２実施形態に係る密封穴仕舞治具は図６に示されるように円筒スリーブ３２、仕切り板ユニット３４、仕切り板サポート用鋼管３６、ゴム受けリングプレート３８、円形ゴム板４０により構成されている。
【００４０】
円筒スリーブ３２は、その貫通路３２ａの水平断面が円形になったのものである。仕切り板ユニット３４は図７に示されるように、２枚の仕切り板３４ａに切り込みをいれ、切り込みどうしをかみ合わされた構成をしている。仕切り板３４ａは円筒スリーブ３２の開口部３２ｂから垂直に挿入する矩形の板であり、垂直に挿入する側の辺は一定の長さを有し、これと同じ長さで上端・下端を整合させたポール３４ｂが配設されている。一方、水平方向の辺は貫通路３２ａの円形水平断面の直径とほぼ同一であって、仕切り板３４ａを貫通路３２ａ方向に挿入できる長さを有している。また仕切り板３４ａは２枚用いられ、仕切り板３４ａの上端中央から仕切り板３４ａの厚みと同じ寸法の幅を有する図示しない切り込み３４ｂが形成され、一方を上下反転させて切り込み３４ｂ同士をかみ合わせることにより、図７のように水平断面が十字となる仕切り板ユニット３４を形成することができる。このとき２つの仕切り板３４ａの上端は整合されている。そして、仕切り板３４ａのかみ合わせを固定するため仕切り板固定金具３４ｃが用いられる。仕切り板固定金具３４ｃは全体として十字型をしており、その十字に沿う形で十字切り込みがなされている。前記十字切り込みは２つの仕切り板ユニット３４の交差上端部に仕切り板固定金具３４ｃをはめ込むことで、仕切り板３４ａのかみ合わせを固定できるように仕切り板３４ａの厚みと同じ幅をもっている。また、仕切り板ユニット３４にある４つのポール３４ｂの上端部にはポール３４ｂの外径より大きな寸法をもつ吊りピース３４ｄが、ポール３４ｂの水平断面円と同心円となるように固定されている。
【００４１】
仕切り板サポート用鋼管３６は本実施形態では４つ用いられ、４つとも同じ長さを有している。仕切り板サポート用鋼管３６は上端が開放した中空の円筒形を有し、貫通路３２ａの水平断面の円周を４等分するように、仕切り板サポート用鋼管３６の上端面の高さを整合して、溶接等により貫通路３２ａの内壁に垂直に固定されている。仕切り板サポート用鋼管３６の長さは仕切り板ユニット３４の垂直方向の長さに、後述のゴム受けリングプレート３８、および円形ゴム板４０の厚さと同じ長さを加えた寸法である。またそれぞれの仕切り板サポート用鋼管３６の下端部には仕切り板サポート用鋼管３６の水平断面円より直径の大きな端部閉止プレート３６ａが前記水平断面円と同心円を形成するように接続され、実装時に貫通路３２ａと干渉する部分は切除してある。よって、それぞれの端部閉止プレート３６ａの深さ方向の位置は同じとなる。また仕切り板サポート用鋼管３６には貫通路３２ａの水平断面の中心方向側面には矩形の鋼管開口部３６ｂが形成されており、上端から下端まで開口されている。また、鋼管開口部３６ｂの幅は仕切り板ユニット３４の厚みより若干広く、かつポール３４ｂの直径より狭い幅に設計されている。
【００４２】
図８に示すように、ゴム受けリングプレート３８は、貫通路３２ａの水平断面形状とほぼ同じで、水平に保ったまま円筒スリーブ３２に挿入できる寸法を有し、後述の円形ゴム板４０を受けるリング状の板であり、実装時に仕切り板サポート用鋼管３６と干渉しないように、アーク３８ａを形成させている。アーク３８ａの内径は仕切り板サポート用鋼管３６の直径よりも大きく、外径は端部閉止プレート３６ａと同程度である。
【００４３】
図９に示すように、円形ゴム板４０は貫通路３２ａの水平断面形状とほぼ同じで、水平に保ったまま円筒スリーブに挿入できる大きさを有する円形の板であり、実装時に仕切り板サポート用鋼管３６と干渉する部分は切除してある。また、円形ゴム板４０にはケーブルを貫通させるためのケーブル貫通用切り込み４０ａが、実装時にケーブル４１が仕切り板ユニット３４およびゴム受けリングプレート３８と干渉しないように複数穿たれている。第１実施形態の場合と同様に、ケーブル貫通用切り込み４０ａは実際に挿通するケーブルの断面寸法に応じてその切り込みの長さを変えることができ、またケーブル挿通により切り込みが広がるのを防止するため、ケーブル貫通用切り込み４０ａの切り込み線の延長線上には、切り込み止め４０ｂが切り込まれている。
【００４４】
以上の構成により円筒スリーブ３２に第２実施形形態に係る密封穴仕舞治具を実装すると以下のようになる（図６、図１０参照）。まずゴム受けリングプレート３８を円筒スリーブ３２に挿入する。このときゴム受けリングプレート３８と仕切り板サポート用鋼管３６とが干渉しないように仕切り板サポート用鋼管３６の真上にアーク３８ａの内径部分が来るようにする。するとアーク３８ａは仕切り板サポート用鋼管３６と干渉せずに下端まで挿入でき、端部閉止プレート３６ａの上面と当接する。端部閉止プレート３６ａそれぞれの深さ方向の位置は同じであるため、ゴム受けリングプレート３８は円筒スリーブ３２内で水平に保ったまま保持される。同様に円形ゴム板４０も円筒スリーブ３２に挿入すると円形ゴム板４０はゴム受けリングプレート３８により保持され、円形ゴム板４０はゴム受けリングプレート３８とビス止めすることができる。そしてポール３４ｂと仕切り板サポート用鋼管３６を真上から見て整合させ、仕切り板固定金具３４ｃを円筒スリーブ３２に挿入する。このとき、ポール３４ｂは仕切り板サポート用鋼管３６内部に挿入されるとともに、仕切り板ユニット３４は鋼管開口部３６ｂに挿入されるために仕切り板ユニット３４と仕切り板サポート用鋼管３６とが干渉することはない。そして吊りピース３４ｅの下面と仕切り板サポート用鋼管３６の上端面とが当接するとともに、仕切り板ユニット３４の下端が円形ゴム板４０と当接することにより、仕切り板ユニット３４は水平を保ったまま円筒スリーブ３２内で保持される。このように実装された密封穴仕舞治具を用いて第一実施形態と同様に密封穴仕舞を実施することができる。このとき、図示しない計量カップは底面が扇型である。第２実施形態において円筒スリーブの貫通路の内径が大きい場合は円形ゴム板４０の中央部がたわむ可能性があるため、次の第３実施形態を用いることができる。
【００４５】
第３実施形態は第２実施形態とほぼ同様であるが、図１１に示すようにゴム受けリングプレート３８に仕切り板ユニット３４の厚みより大きい寸法の幅をもつ十字型のプレートを接合した十字付ゴム受けリングプレート４４を用いる。これにより、円形ゴム板４０にあるケーブル貫通用切り込み４０ａと干渉することなく、円形ゴム板４０の中央部分のたわみを抑えることができる。また、図１２に示すように、十字付ゴム受けリングプレート４４を実装すると、真上から見た場合に仕切り板ユニット３４によって形成される４つの扇の内壁を縁取るように十字付ゴム受けリングプレート４４が見えることになる。よって図１３に示すように、円形ゴム板４０に代わって扇型ゴム板４６を用いることができる。扇形ゴム板４６は仕切り板ユニット３４下端部とは当接しないので仕切り板サポート用鋼管３６の設計において扇形ゴム板４６の厚みを考慮する必要はなくなる。本実施形態において扇形ゴム板４６は４つ用い、ビス止め等により十字付ゴム受けリングプレート４４に固定する。
【００４６】
本発明は一般建築物にある配線用スリーブに適用することを想定しているが、本発明は配線用スリーブの使用場所により何ら制限を受けないため、これに限らず原子力発電所等にも適用できる。
【００４７】
いずれの実施形態においても、床面１１への水の漏洩により配線用スリーブに水が侵入することを防止する場合には、配線用スリーブ１０の開口部１０ｂ（第２実施形態においては、円筒スリーブの上端の開口部）を床面１１より一定の高さをもつように配線用スリーブ１０（円筒スリーブ３２）を床に設置する必要がある（図１４参照）。
【００４８】
いずれの実施形態においても床を貫通し上に開口した配線用スリーブ（円筒スリーブ）について述べているが、壁を貫通し、壁に平行に開口している配線用スリーブにも適用できる。この場合においても、床面１１への水の漏洩により配線用スリーブに水が侵入することを防止する場合には、配線用スリーブの開口下部（第２実施形態においては、円筒スリーブの開口下部）が床面より一定の高さをもつように配線用スリーブ（円筒スリーブ）を壁に設置する必要がある。
【００４９】
いずれの実施形態においても、計量カップ２８に充填する発泡性充填材２６はペネシール（登録商標）等の２液混合型ＲＴＶシリコーンフォーム等の対放射性に優れ難燃性の室温硬化型発泡性弾性体を用いることが望ましい。発泡前の混合体は流動性に富むので、ケーブル間の隙間や複雑な形状部分に容易に侵入するとともに、発泡圧で細部まで完全に充填することができ、気密性、水密性を保つことができる。
【００５０】
一方、配線用スリーブ１０に直接充填する固形充填材２４はハイシール（登録商標）等の非硬化性のパテ状耐熱シール材を用いることが望ましい。これは高い難燃性を有し、ケーブルの延焼を防止するとともに、柔らかい材質のため隙間に充填することができ、取り扱い、施工が容易であり、また硬化しないのでケーブルの増設・撤去にあわせて一部を除去する、および再充填が可能となる。なお、本発明において、気密を保って充填することが目的であるためセメントを用いても良い。また、ケーブルを挿通した区画孔２２に対して前記固形充填材２４に代わって、直接発泡性充填材２６を充填することができる。このとき前記発泡性充填材２６はゴム板２０により保持され、下に漏れ出ることはない。これにより区画孔２２の防水性が確保され、万が一、水が配線用スリーブ１０の開放口１０ｂから侵入しても侵入した水をブロックし、下の階にある機器等を濡らすことを防ぐことができる。さらに、本発明を原子力発電所等、放射線遮蔽を要する建築物に適用する場合は固形充填材２４として鉛毛等を用いることができる。このとき、鉛毛の充填の厚さが必要遮蔽要求厚を満たすように、穴仕舞治具の深さ方向の設計を行う必要がある。もちろん前記鉛毛を充填した上に前記発泡性充填材２６を充填して防水性と遮蔽性を同時に確保する形態にしてもよい。
【００５１】
いずれの実施形態においても、配線用スリーブ１０（円筒スリーブ３２）にケーブル等の配線を挿通させたのち穴仕舞することを前提としているが、これに限らず水道管や、エア配管等のガス管に対しても適用することができる。その際、ゴム板２０のケーブル貫通用切り込み２０ａ（４０ａ）の切り込みの長さを配管の外形にあわせて調整する必要がある。もちろん、ケーブル貫通用切り込み２０ａ（４０ａ）の切り込みの形状は任意に設計できるので、配管の外径が円形でない場合にも適用できる。
【００５２】
いずれの実施形態も耐火材３０の充填については国土交通大臣認定工法によるものであり、耐火材３０の材料は同法に係るものであれば特に限定されないが、現行の大臣認定番号ＰＳ０６０ＷＬ−２３１、ＰＳ０６０ＷＬ０２３３、ＰＳ０６０ＦＬ−０２３２、ＰＳ０６０ＦＬ０２２１等の施工方法に係る耐火材が望ましい。これは柔らかい枕状の耐火ブロックで、充填材を充填したのちに耐火ブロックを積み上げて充填する。耐火ブロックは熱により体積が膨張する性質があり、火災時の熱を受けて膨らみ開口部をさらに密にすることができる。
【００５３】
円形ゴム板４０、及び扇形ゴム板４６の材料は、合成ゴムを発泡させたネオプレーンゴムが望ましいが、難燃性であれば他の材料も利用でき、クロロプレーンゴム、シリコンゴム、フッ素ゴム、エチレンプロピレンゴム、アクリルゴム、ウレタンゴム、クロロスルホン化ポリエチレンゴム、エピクロルヒドリンゴム、天然ゴム等も温度等の使用環境にあわせて利用できる。
【産業上の利用可能性】
【００５４】
配線用スリーブの気密性、防火性を確保しつつケーブル等の追加作業を簡便に行うことが可能な密封穴仕舞方法および密封穴仕舞治具として利用できる。
【図面の簡単な説明】
【００５５】
【図１】第１実施形態に係る密封穴仕舞治具の鳥瞰図である。
【図２】第１実施形態を構成するゴム板の概略図である。
【図３】第１実施形態を構成する計量カップの概略図である。
【図４】第１実施形態に係るケーブルの密封穴仕舞の概略図である。
【図５】第１実施形態を構成する区画孔の真上から見た概略図である。
【図６】第２実施形態に係るケーブルの密封穴仕舞の概略図である。
【図７】第２実施形態に係る密封穴仕舞治具の鳥瞰図である。
【図８】第２実施形態を構成するゴム受けリングプレートの概略図である。
【図９】第２実施形態を構成する円形ゴム板の概略図である。
【図１０】第２実施形態に係るケーブルの密封穴仕舞治具の真上から見た概略図である。
【図１１】第３実施形態に構成する十字付きゴム受けリングプレートの概略図である。
【図１２】第３実施形態に係るケーブルの密封穴仕舞治具の真上から見た概略図である。
【図１３】第３実施形態に構成する扇型ゴム板の概略図である。
【図１４】配線用スリーブの開口部が床面より高くなるようして配設された配線スリーブの概略図である。
【図１５】従来技術に係る密封穴仕舞治具の概略図である。
【図１６】従来技術に係るケーブルの密封穴仕舞の概略図である。
【符号の説明】
【００５６】
１０………配線用スリーブ、１１………床面、１２………仕切り板、１４………仕切り板サポート用鋼管、１６………格子状充填材受金具、１８………副仕切り板、２０………ゴム板、２２………区画孔、２４………固形充填材、２６………発泡性充填材、２８………計量カップ、３０………耐火材、３２………円筒スリーブ、３４………仕切り板ユニット、３６………仕切り板サポート用鋼管、３８………ゴム受けリングプレート、４０………円形ゴム板、４４………十字つきゴム受けリングプレート、４６………扇形ゴム板、５０………吊り金具、５２………充填材受金具。
【図１】
0004725897.tif 000002
【図２】
0004725897.tif 000003
【図３】
0004725897.tif 000004
【図４】
0004725897.tif 000005
【図５】
0004725897.tif 000006
【図６】
0004725897.tif 000007
【図７】
0004725897.tif 000008
【図８】
0004725897.tif 000009
【図９】
0004725897.tif 000010
【図１０】
0004725897.tif 000011
【図１１】
0004725897.tif 000012
【図１２】
0004725897.tif 000013
【図１３】
0004725897.tif 000014
【図１４】
0004725897.tif 000015
【図１５】
0004725897.tif 000016
【図１６】
0004725897.tif 000017